(57)【要約】【課題】遊技者に斬新な印象を抱かせ得る装飾部を設けてさらなる興趣の増大を図ることができる遊技機を提供する。【解決手段】遊技者側に向けて前方に突出する設置台部１６と、設置台部１６に設けられた上向き凹状の台座部１７と、台座部１７に少なくとも自己の下部が収まり得る立体形状の装飾部１９と、装飾部１９を支持する延出部２０と、装飾部１９を、前記台座部１７に下部が収まる第１の位置と、第１の位置にあるときよりも相対的に台座部１７から下部が離間する第２の位置と、に変化させ得る駆動手段と、を備えており、少なくとも装飾部１９が第２の位置にあるときに、遊技者から見て延出部２０が認識困難となるように構成される遊技機１を提供する。【選択図】        図４
2016055021.tif 000002
【特許請求の範囲】
【請求項１】
遊技者側に向けて前方に突出する設置台部と、
該設置台部に設けられた上向き凹状の台座部と、
該台座部に少なくとも自己の下部が収まり得る立体形状の装飾部と、
該装飾部を支持する延出部と、
前記装飾部を、前記台座部に前記下部が収まる第１の位置と、該第１の位置にあるときよりも相対的に前記台座部から前記下部が離間する第２の位置と、に変化させ得る駆動手段と、を備えており、
少なくとも前記装飾部が前記第２の位置にあるときに、遊技者から見て前記延出部が認識困難となるように構成されることを特徴とする遊技機。
【発明の詳細な説明】
【技術分野】
【０００１】
本発明は、遊技媒体を用いて遊技を行う遊技機に関する。
【背景技術】
【０００２】
上記遊技機として、例えば遊技球を遊技媒体とするパチンコ機がある。
一般的なパチンコ機は、四角く枠組みされた外枠と、該外枠の前面に設けられた本体部（「前枠」ともいう。）と、該本体部に着脱可能に取り付けられると共に前面に遊技球が流下可能な遊技領域を有する遊技盤と、遊技者側に向けて前方に突出する遊技球貯留用の球皿と、該球皿の周りを装飾する装飾カバー部と、球皿にある遊技球を遊技盤の遊技領域に打ち出す打球発射装置と、該打球発射装置の打球勢を調節するため前記本体部に突設された操作ハンドルと、を備えている。
そして、パチンコ機の中には、例えば球皿の周りを装飾する装飾カバー部を設置台部として、そこに演出ボタンを出没自在に設けるようにしたものがある（特許文献１参照。）。
このパチンコ機の演出ボタンは、略円柱形で、装飾カバー部内にほぼ没した通常操作位置と、装飾カバー部から大きく突出した突出操作位置とに変化するようになっており、その演出ボタンを遊技の進行状況により通常操作位置から突出操作位置に変化させ、かかる演出ボタンの形態の変化と遊技状況（例えば大当りの発生）とを演出的に組み合わせることによって、遊技の興趣を増大させるようにしている。
【先行技術文献】
【特許文献】
【０００３】
【特許文献１】特開２０１３−１１６１６９号公報
【発明の概要】
【発明が解決しようとする課題】
【０００４】
特許文献１のパチンコ機は、上記のように略円柱形状の演出ボタンを遊技の進行状況に応じて通常操作位置から突出操作位置に変化させ、かかる形態の変化によって遊技の興趣を増大させるようにしているが、変化の態様が実質的に円柱体の昇降という単純なものであるため、遊技の興趣を増大させ得る効果があるとしても限定的なものであった。
【０００５】
本発明は、上記に鑑みなされたもので、その目的は、遊技者に斬新な印象を抱かせ得る装飾部を設けてさらなる興趣の増大を図ることができる遊技機を提供することにある。
【課題を解決するための手段】
【０００６】
上記の目的を達成するため本発明は、
遊技者側に向けて前方に突出する設置台部と、
該設置台部に設けられた上向き凹状の台座部と、
該台座部に少なくとも自己の下部が収まり得る立体形状の装飾部と、
該装飾部を支持する延出部と、
前記装飾部を、前記台座部に前記下部が収まる第１の位置と、該第１の位置にあるときよりも相対的に前記台座部から前記下部が離間する第２の位置と、に変化させ得る駆動手段と、を備えており、
少なくとも前記装飾部が前記第２の位置にあるときに、遊技者から見て前記延出部が認識困難となるように構成される遊技機を提供する。
本発明によれば、設置台部の台座部に収まる第１の位置にある装飾部が第２の位置に変化すると、装飾部が台座部から離間し、しかも遊技者から見て延出部が認識困難になっているため、あたかも装飾部が台座部から浮き上がっているかのように見える。そして、その態様が遊技者に斬新な印象を抱かせ得るため、遊技の興趣が増大する。
【発明の効果】
【０００７】
本発明によれば、遊技者に斬新な印象を抱かせ得る装飾部を設けてさらなる興趣の増大を図ることができる。
【図面の簡単な説明】
【０００８】
【図１】遊技機の正面図である。
【図２】要部を半断面にして示す遊技機の一部拡大正面図である。
【図３】装飾部が第１の位置にある状態を示す遊技機要部の斜視図である。
【図４】装飾部が第２の位置にある状態を示す遊技機要部の斜視図である。
【図５】装飾部が第１の位置にある状態を示す図２のＡ−Ａ線相当断面図である。
【図６】装飾部が第１の位置にある状態を示す図２のＢ−Ｂ線相当断面図である。
【図７】装飾部が第１の位置にある状態を示す図２のＣ−Ｃ線相当断面図である。
【図８】装飾部が第１の位置にある状態を示す図２のＤ−Ｄ線相当断面図である。
【図９】装飾部が第１の位置にある状態を示す図２のＥ−Ｅ線相当断面図である。
【図１０】図２のＡ−Ａ線断面図である。
【図１１】図２のＢ−Ｂ線断面図である。
【図１２】図２のＣ−Ｃ線断面図である。
【図１３】図２のＤ−Ｄ線断面図である。
【図１４】図２のＥ−Ｅ線断面図である。
【図１５】装飾機構ユニットの斜視図である。
【図１６】駆動装置を分解して示す装飾機構ユニットの分解斜視図である。
【図１７】装飾部と延出部を除いた装飾機構ユニットの分解斜視図である。
【図１８】装飾部と延出部の分解斜視図である。
【図１９】（ａ）は装飾部の縦断面図、（ｂ）は延出部に対して下動した状態を示す装飾部の縦断面図である。
【図２０】（ａ）はスペーサーを装着した状態を示す装飾部の縦断面図、（ｂ）はスペーサーを装着して延出部に対して下動した状態を示す装飾部の縦断面図である。
【図２１】スペーサーを挟んで延出部に固定した状態を示す装飾部の縦断面図である。
【図２２】下半部を断面にした遊技機の側面図である。
【図２３】他形態の遊技機の要部を示すもので、装飾部の中央を通る縦断面図である。
【図２４】他の形態を示す遊技機の要部拡大斜視図である。
【図２５】他の形態を示すもので、（ａ）は装飾部が第１の位置にある状態を示す要部の斜視図、（ｂ）は装飾部が第２の位置にある状態を示す要部の斜視図である。
【発明を実施するための形態】
【０００９】
以下に本発明の実施の形態を図面を参照しつつ説明する。
実施形態の遊技機１は、遊技球を遊技媒体とするいわゆるパチンコ機であって、枠体２と、枠体２の前面に開閉可能に装着された本体部３と、該本体部３に交換（着脱）可能に取り付けられた遊技盤４と、本体部３の前面を開閉可能な状態に覆う前面部５と、を備えている。
【００１０】
［枠体］
枠体２は、木製又は金属製又は合成樹脂製であって四角く枠組みされており、遊技場の島設備に取り付けられる。
【００１１】
［本体部］
本体部３は、枠体２の正面向かって左側の上下に設けたヒンジ具６，６によって開閉可能に装着されており、枠体２の前面にほぼ整合する。この本体部３に遊技盤４が交換可能に取り付けられている。
なお、図示を省略するが、遊技球を遊技盤４の遊技領域４ａに打ち出す打球発射装置が本体部３の下方位置に設けられ、さらに本体部３の裏側に、上から順に遊技球を貯める球タンクと、該球タンクの遊技球を受ける導出樋と、該導出樋の遊技球を受けて景品球や貸球として所定量を放出する遊技球放出装置と、該遊技球放出装置から放出される遊技球を後述する球皿７に導く放出樋と、を有する機構盤が装着されている。
【００１２】
［遊技盤］
遊技盤４は、木製又は合成樹脂製の板材であって、前面にガイドレールで囲われた遊技領域４ａが形成されている。該遊技領域４ａには、図示しないが遊技球の落下方向に不規則な変化を与える障害釘と、同じく風車と、遊技球を受け入れる入賞口を具備する入賞装置と、入賞装置に入賞しなかった遊技球を回収するアウト球口等が設けられている。
また、遊技盤４の裏面には、図示しないが入賞装置（入賞口）に入賞した遊技球を検出する入賞球センサ等の各検出信号や、遊技機１に設けられる各種のスイッチからの入力信号を受けて処理すると共に当り外れを決める抽選、さらには可変式の入賞装置の動作処理等の遊技の進行を司る遊技進行制御や演出制御等を行う一つあるいは複数の制御装置が設けられている。
【００１３】
［前面部］
前面部５は、本体部３の前面にほぼ整合する形状であって、枠体２に設けられている前記ヒンジ具６，６で扉状に開閉可能なように取り付けられており、前記遊技盤４の前面を覆う閉状態と、遊技盤４の前面を露出させる開状態とに変化し得る。
【００１４】
前面部５は、左右に位置する支柱状の縦枠部５ａ，５ｂと、上に位置する上枠部５ｃと、下に位置する下枠部５ｄで額縁状に形成されており、それらで囲われた窓部８がガラスや合成樹脂等の透明板９で覆われている。したがって、窓部８を介して遊技盤４の遊技領域４ａが見える。
【００１５】
前面部５の前記縦枠部５ａ，５ｂと上枠部５ｃの前面には、スピーカー１０，１０や照明を内蔵した縁飾り１１，１１…が適宜設けられている。
一方、前面部５の下枠部５ｄの前面には、正面向かって右下コーナー部分に前記打球発射装置の打球勢を調節するための操作ハンドル１２が設けられている。また、下枠部５ｄの前面には、該下枠部５ｄとほぼ同形状のベース盤１３が重ねて装着されていて該ベース盤１３に前記機構盤の放出樋に通じる球皿７と該球皿７を覆う装飾カバー部１４が取り付けられている。
また、前面部５には、以下に詳述する装飾演出装置１５が設けられている。
【００１６】
［装飾演出装置］
前記装飾演出装置１５は、遊技者側に向けて前方に突出する設置台部１６と、該設置台部１６に設けられた上向き凹状の台座部１７と、前記ベース盤１３の前面に固着された装置基台１８と、前記台座部１７に少なくとも自己の下部が収まり得る立体形状の装飾部１９と、装飾部１９を支持する延出部２０と、延出部２０を動かして装飾部１９の位置を変化させる駆動手段２１と、を備えている。なお、前記装置基台１８を取付架台とし、それに前記装飾部１９と延出部２０と駆動手段２１とを組み付けて一つの装飾機構ユニット２２が形成されている。
【００１７】
［設置台部］
前記設置台部１６は、前記装飾カバー部１４の中央を遊技者側に向けて前方に突出させて形成されており、その内部が設置台部１６の内壁と前記ベース盤１３で区画された駆動室２３になっている。該設置台部１６は、その上面が球皿１７の上縁とほぼ同レベルの高さから前方に向けて下傾する傾斜面になっており、その傾斜面のほぼ中央に円孔２４が開設されている。
なお、設置台部１６は、装飾カバー部１４と別体に成形して前方から嵌め込む構造になっており、前方から着脱可能なようにビス２５，２５…で固定するようになっている。そうすることにより、駆動室２３を前方から開放することができるため、前記装飾機構ユニット２２の調整・変更・部品交換等が容易になる。
【００１８】
［台座部］
前記台座部１７は、設置台部１６の駆動室２３内に上向き凹状の球状壁部２６を設置し、該球状壁部２６の開口を設置台部１６の前記円孔２４に整合させて形成されている。球状壁部２６には前方から後方に向けて帯状の切開部２７が開設されており、該切開部２７を介して台座部１７が前記駆動室２３に連通している。
【００１９】
［装置基台］
装置基台１８は、前記駆動室２３の内部であって前記ベース盤１３の前面にビスで固定的に取り付けられるものであり、延出部２０のための第１軸受２８と、駆動手段２１のための第２軸受２９及び第３軸受３０と、後述する延出部センサー３１を取り付けるセンサー台３２と、駆動手段２１の後述する駆動装置を取り付ける駆動装置設置部３３と、設置台部１６の下に配置されていて遊技状況に応じて振動を発生させる振動スピーカー３４と、同じく設置台部１６の正面向かって左横に配置されていて遊技状況に応じて効果音を発生させるスピーカー３５と、が設けられている。
【００２０】
［装飾部］
前記装飾部１９は、図１８に示したように、半球状の上半部３６と下半部３７の間に中間リング部３８を挟んで結合した中空の球体であり、前記台座部１７に下半部３７が緩く嵌って収まり得る。なお、上半部３６には、その頂部に着脱自在な皿部３６ａがビス止めされており、その皿部３６ａを外すことにより装飾部１９の頂部をほぼ平らにして触感或は操作感が変更できるようになっている。
【００２１】
［延出部］
前記延出部２０は、縦杆部３９と横杆部４０とからなる大きい略Ｌ字状の主腕部４１と、該主腕部４１の横に配置した小さい略Ｌ字状の副腕部４２との組合せで形成されており、主腕部４１の横杆部４０の後端と、副腕部４２の後端とが装置基台１８の前記第１軸受２８に差し渡された回転不能の第１軸４３に回転可能に取り付けられている。なお、図５〜図１４に示したように第１軸４３は、設置台部１６の上部で球皿７の上縁に近い位置であって、後述する第１の位置にある装飾部１９と、後述する第２の位置にある装飾部１９のほぼ中間の高さに配設されている。
この延出部２０は、主腕部４１が前記下半部３７の切開部２７を通って台座部１７内に臨み、一方、副腕部４２が駆動室２３内に隠れるようになっている。
【００２２】
延出部２０の主腕部４１と副腕部４２は、図１８に示したように、主腕部４１の後端上面に前記副腕部４２の上方を横切るように突設した張出部４４と、副腕部４２の後端上面に突設した突部４５とが当接し合うようになっている。そしてさらに、主腕部４１の張出部４４と副腕部４２の先端に引張りバネ４６を掛け渡して両者を互いに牽引し、そうして張出部４４と突部４５の当接部に適度な圧力が掛かるようになっている。
【００２３】
かかる構成を有する延出部２０は、副腕部４２に反当接方向の回転力（例えば図１３において反時計回りの回転力）が加わると、前記引張りバネ４６の引張力が勝る範囲内において主腕部４１が副腕部４２と一体に回動し、一方、主腕部４１の回転にストップが掛かり且つ副腕部４２の前記回転力が引張りバネ４６の引張力を上回ったとき、該引張りバネ４６が伸びて副腕部４２が単独で回転し得る。もちろんこの副腕部４２と主腕部４１のずれは、副腕部４２に加わる回転力が引張りバネ４６の引張力を下回ると該引張りバネ４６の力で自動的に解消される。
なお、このように回転力に応じて主腕部４１と副腕部４２に自動的にずれを生じさせる構成は、そのようなずれが機構上のいわゆる「遊び」として機能するため、機構全体を円滑に作動させる上で有用である。
【００２４】
［延出部と装飾部］
延出部２０の主腕部４１の先端に前記装飾部１９が取り付けられている。もちろん装飾部１９は、主腕部４１の先端に固定的に連結してもよいが、実施形態では主腕部４１に対して上下方向に変位し得るようになっている。
【００２５】
すなわち、延出部２０には、縦杆部３９の上端に円形の受台部４７を形成して該受台部４７にフランジ４８付きの円筒部４９をビスで固定し、一方、装飾部１９には、上半部３６と下半部３７の間の中間リング部３８に、中心に円孔５０を有するバネ受け円板５１をビスで固定し、該バネ受け円板５１の円孔５０に延出部２０側の前記円筒部４９を摺動自在に挿通すると共にバネ受け円板５１とフランジ４８との間に複数（実施形態では１２０゜間隔で３個）のスプリング５２，５２，５２を圧縮状態に介装してなる。また、装飾部１９の上半部３６の内壁面に、延出部２０の前記円筒部４９に対向するように円筒状のストッパー５３が突設されており、そのストッパー５３と延出部２０の円筒部４９との間にストローク空間５４が設けられている。
なお、図１８，図１９において、符合５５はフランジ４８の上面に上向きに突設したスプリング案内軸、また、符合５６は該スプリング案内軸５５の頂部に取り付けた抜け止め用の座金である。
【００２６】
以上のように実施形態の装飾部１９は、延出部２０の主腕部４１に固定的に取り付けられたフランジ４８と、装飾部１９に固定的に取り付けられたバネ受け円板５１との間に圧装されたスプリング５２により、延出部２０の先端に弾性的に支えられた状態になっている。したがって、装飾部１９を手で下向きに押すと、図１９（ａ）から（ｂ）のようにスプリング５２が縮んで該装飾部１９のストッパー５３が延出部２０の前記円筒部４９に当たるまで下降し（ストロークｈ１）、その手を離すとスプリング５２の弾性により元の位置まで弾むように上昇する。
【００２７】
装飾部１９の上記の弾むような動きは、その感触自体を玩具的に楽しむようにしてもよいし、或は図１９（ａ），（ｂ）に想像線で示したように、延出部２０側（具体的には受台部４７）に例えば光学式の装飾部センサー５７を設置し、一方、装飾部１９側（具体的にはバネ受け円板５１）に前記装飾部センサー５７に向けてスイッチ作動片５８を突設し、前記装飾部１９の上下方向の動きに伴うスイッチ作動片５８の動きを装飾部センサー５７で検出し、そうしてその検出信号を遊技用の入力信号として利用するようにしてもよい。もちろんスイッチ作動片５８と装飾部センサー５７の設置場所は相互に入れ替えてもよいが、実施形態のように装飾部センサー５７を延出部２０側に設けておく方が装飾部センサー５７の上下動が少なくなって、装飾部センサー５７自体や配線が傷み難い。
【００２８】
［装飾部のスペーサー］
ところで実施形態の装飾部１９は、前記ストローク空間５４を横断する仕切板５９ａを備えたスペーサー５９を装飾部１９と延出部２０の間に介在させることにより、延出部２０に対する上下動のストロークが簡単に変更できるようになっている。
すなわち前記スペーサー５９は、図１８、図２０に示したように、延出部２０の前記円筒部４９の周りを囲うようにして前記バネ受け円板５１の上面に載る大筒部５９ｂと、装飾部１９の上半部３６の前記ストッパー５３内に遊嵌する小筒部５９ｃと、該小筒部５９ｃと前記大筒部５９ｂの境界位置に設けた仕切板５９ａと、から概略構成されており、装飾部１９のバネ受け円板５１と上半部３６とに挟まれて支持されている。したがってスペーサー５９は装飾部１９と一体に動くため、装飾部１９が手で押されて下降したとき、スペーサー５９の仕切板５９ａがストッパー５３より先に延出部２０の円筒部４９の頂部に当接して停止する。よって装飾部１９の延出部２０に対する上下動のストロークｈ２は、スペーサー５９の仕切板５９ａと延出部２０の円筒部４９の間の間隔に変更される。もちろんスペーサー５９の仕切板５９ａが、延出部２０の円筒部４９の頂部に常時載っている設定にした場合には、前記ストロークｈ２が零になるため、装飾部１９が延出部２０に対して上下動することはない。なお、実施形態のスペーサー５９は、図２１に示したように逆さにして設置することにより、仕切板５９ａが延出部２０の頂部に常に載る設定、つまり装飾部１９が延出部２０に対して上下動しない設定になっている。
【００２９】
［駆動手段］
駆動手段２１は、装飾部１９の位置を図３に示したように前記台座部１７に収まる第１の位置（収容位置）と、図４に示したように台座部１７から浮き上がる第２の位置（非収容位置）とに変化させるものであり、装飾部１９を前記第１の位置から第２の位置に変化させるために延出部２０を跳ね上げる跳ね上げ手段６０と、装飾部１９を第２の位置から第１の位置に変化させるために延出部２０を回動させる引き下げ手段６１と、を備えている。
なお、本実施形態では、装飾部１９の位置が前述の第１の位置（収容位置）にあるときの延出部２０等の各要素のことを「第１の状態にある」又は「第１状態にある」と称し、装飾部１９の位置が前述の第２の位置（非収容位置）にあるときの延出部２０等の各要素のことを「第２の状態にある」又は「第２状態にある」と称する。
また、駆動手段２１は、跳ね上げ手段６０と引き下げ手段６１の共通の駆動源として、図１６に示したように装置基台１８の駆動装置設置部３３に取り付けられるギヤカバー６２と、該ギヤカバー６２の外面に取り付けられる原動モーター６３と、原動モーター６３の出力軸に直結された原動ギヤ６４と、該原動ギヤ６４に噛合するようにギヤカバー６２内に回転自在に装着された中間ギヤ６５と、該中間ギヤ６５に噛合するようにギヤカバー６２内に回転自在に装着された最終ギヤ６６と、該最終ギヤ６６の側面に突設されると共に扇形の円弧面６７ａとその円弧面６７ａの始端側（回転時に進行方向に向かう側）に連続するアール面取り部６７ｂと窪み部６７ｃとを有する駆動カム６７と、からなる駆動装置を備えている。
【００３０】
［駆動手段−跳ね上げ手段］
装飾部１９を第１の位置（収容位置）から第２の位置（非収容位置）に変化させる跳ね上げ手段６０は、延出部２０を跳ね上げ方向に付勢する巻きバネ６８と、該巻きバネ６８によって跳ね上げ方向に付勢されている延出部２０を第１の状態に止めるロック部６９と、該ロック部６９による延出部２０のロックを解除するロック解除部７０と、から概略構成される。
【００３１】
［跳ね上げ手段−巻きバネ］
前記巻きバネ６８は、略円形の巻回部６８ａから二本のバネ線６８ｂ，６８ｂが互いに拡開する方向に延びる公知のものであって、前記巻回部６８ａが前記装置基台１８の第１軸４３に取り付けられており、一方のバネ線６８ｂが装置基台１８に当接し、もう一方のバネ線６８ｂが副腕部４２の後側に当接する。したがって、巻きバネ６８のバネ線６８ｂ，６８ｂの拡開弾性によって延出部２０が常時跳ね上げ方向に付勢される。
【００３２】
［跳ね上げ手段−ロック部］
前記ロック部６９は、上記のように巻きバネ６８によって跳ね上げ方向に付勢されている延出部２０を第１状態に止めて装飾部１９を第１の位置に保持するものであり、延出部２０の主腕部４１の後端側面に突設された係合部７１と、装置基台１８の前記第２軸受２９に対し第２軸７２で揺動可能に軸着されたロック／解除切替部７３のロック片７４と、からなる。
このロック片７４は、図１７の拡大図に示したように、ロック／解除切替部７３の端部に突設されており、先端が第２軸７２を中心とするアール面７４ｒになっている。また、ロック片７４は、図９に示したようにロック／解除切替部７３に突設されたバネ掛け部７５と装置基台１８とに掛け渡されたスプリング７６の張力によって反時計回りに付勢された状態で停止しており、この停止状態から時計回りにのみ回転し得る。
しかして、第１状態にある延出部２０の前記係合部７１は、かかる停止状態のロック片７４に接触するようになっている。前記のように第１状態にある延出部２０は、巻きバネ６８によって第２状態に変化する向きに常時付勢されており、そしてその回転方向はロック片７４を反時計回りに回転させようとするものであり、よって延出部２０は、停止状態のロック片７４によって第１状態に止められる。
【００３３】
［跳ね上げ手段−ロック解除部］
ロック解除部７０は、ロック部６９による延出部２０のロックを解除するものであり、前記ロック／解除切替部７３の端部に設けたローラーアーム７７と、前記駆動カム６７を駆動源としてローラーアーム７７を押し動かす揺動アーム７８と、からなる。
【００３４】
［ロック解除部−ローラーアーム］
前記ローラーアーム７７は、ロック／解除切替部７３の前記ロック片７４とは反対側の端部に突設された支持アーム７９と、該支持アーム７９の先端に回転自在に取り付けられたローラー８０とからなる。
【００３５】
［ロック解除部−揺動アーム］
揺動アーム７８は、ローラーアーム７７のローラー８０に作用してこれを押し動かすものであり、図７、図１７に示したように側面視略Ｌ字状で後端が装置基台１８の第３軸受３０に通した第３軸８１で軸着されている揺動本体７８ａと、その揺動本体７８ａの上端に設けた揺動ローラ７８ｂと、揺動本体７８ａと装置基台１８とに掛け渡されて該揺動本体７８ａを跳ね上げ方向に付勢するスプリング７８ｃとからなる。揺動本体７８ａの外側面はカム面になっており、図１２のように揺動アーム７８を下傾させると前記ロック／解除切替部７３のローラーアーム７７に揺動本体７８ａのカム面が当接し、当該カム面でローラーアーム７７が押されてロック／解除切替部７３が時計回りに回転する。
また、揺動アーム７８自身は、揺動ローラ７８ｂが図７と図１２のように前記駆動カム６７の窪み部６７ｃからアール面取り部６７ｂを通って円弧面６７ａへと移動するとき押し下げられて下傾する。
【００３６】
［引き下げ手段］
引き下げ手段６１は、第２の位置にある装飾部１９を第１の位置に変化させる（引き下げる）ように延出部２０を可動するためのものであり、延出部２０の前記副腕部４２に横向きに突設した回転自在な副腕ローラ８２で形成される。この副腕ローラ８２は、図１２に駆動カム６７を想像線で示したように、延出部２０が第２状態にあるときに駆動カム６７の窪み部６７ｃと交差する位置にある。したがって、副腕ローラ８２が、回転する駆動カム６７の窪み部６７ｃからアール面取り部６７ｂと円弧面６７ａに押されて後方斜め下向きに移動するため、延出部２０が回動して装飾部１９が第１の位置に引き下げられる。
【００３７】
［その他］
図中符合８３は、延出部２０の主腕部４１の屈曲部外側に下向きに突設したセンサー突片であり、該センサー突片８３を装置基台１８の前記センサー台３２に取り付けた延出部センサー３１で検知することにより、延出部２０の状態ひいては装飾部１９の位置を検知することができる。もちろんこの延出部センサー３１の信号を利用すれば装飾部１９を遊技用の入力スイッチとして利用することができる。
また、図５において符合８４，８５は、装置基台１８に設けた延出部２０用の弾性ストッパーであり、装飾部１９が勢いよく押し込まれた場合の衝撃を吸収してこれを保護するためのものである。
また、図１１において符合８６は、ギヤカバー６２に取り付けた光学式の回転センサーであり、最終ギヤ６６のフランジに設けられたスリット８７を検知して原動モーター６３の回転ひいては駆動カム６７の回転を制御するものである。
また、図１５、図１７において符合８８は、装置基台１８に突設した延出部２０用のストッパーであり、延出部２０の主腕部４１に係合して跳ね上げ位置を規制するためのものである。
【００３８】
また、図９、図１４、図１８において符合８９は、装飾部１９を第２の位置から第１の位置に変化させるに際して延出部２０に適度な抵抗を付与して装飾部１９の操作感（押し込んだ手応え）を向上させ得るようにした補助装置である。
実施形態の補助装置８９は、公知のラチェット機構の応用であって、第１軸４３に回転可能に装着された爪車９０と、主腕部４１側面の前記係合部７１内に摺動自在に設けられていてラチェット機構の爪に相当する滑動軸９１と、の組合せである。爪車９０は、第１軸４３の主腕部４１と副腕部４２の間に回転可能に装着されており、その爪車９０の歯間部に前記滑動軸９１の丸い先端部分が嵌っている。一方、この滑動軸９１は、図９、図１４、図１８に示したように主腕部４１の係合部７１内に摺動自在に装着されると共に内蔵したスプリング９２で突出方向に付勢されている。爪車９０と滑動軸９１の噛合関係は、爪車９０の一方の回転に対して滑動軸９１が軸方向に逃げて隣の歯間部に移動し、爪車９０の逆方向の回転に対して滑動軸９１が歯に係合する、というラチェット仕様に設定されており、実施形態では装飾部１９を第１の位置から第２の位置に変化させるとき滑動軸９１が爪車９０の歯に係合して爪車９０を連れ回し、逆に装飾部１９を第２の位置から第１の位置に変化させるとき滑動軸９１が軸方向に逃げて隣の歯間部に移動するようになっている。したがって延出部２０が第２状態から第１状態に変化するときに滑動軸９１が爪車９０の歯間部を移動する際の抵抗と、滑動軸９１がスプリング９２の付勢で弾性的に戻る際の機械音（ラチェット音）が、装飾部１９を押し込む際の触覚的・聴覚的な手応えになるため、遊技者の操作感が向上する。
また、前記のように装飾部１９を延出部２０に対して上下動し得るように構成し、その上下動を装飾部センサー５７で検出して遊技用の入力信号として利用するようにした場合は、延出部２０の動きに上記の抵抗を設けることにより、延出部２０が第２状態になっている状態での延出部２０に対する装飾部１９の先行下動が生じやすくなるため、装飾部１９の上下動を装飾部１９内で検知して遊技用の入力信号とする場合の応答性が向上する。
【００３９】
［動作説明］
上記遊技機１は、通常の遊技状態のとき、図１、図３、図５〜図９に示したように装飾部１９が第１の位置にあって、その下半部３７が台座部１７の中にすっぽりと収まっており、遊技者からは装飾部１９のほぼ上半部３６だけが見える。実施形態の遊技機１は、前記のように延出部２０に対して装飾部１９が上下動自在になっているため、この第１の位置にある装飾部１９を手で押すと下降し、離すと戻る。したがって装飾部１９に、図１９（ａ）、（ｂ）のように前記装飾部センサー５７とスイッチ作動片５８を設けて押し込み操作の有無を検知するようにしておけば、該装飾部１９を遊技用の入力スイッチとして使用することができる。なお、装飾部１９は、第１の位置にあるときその全体が球皿７の上縁より低い位置にある。
【００４０】
装飾部１９が第１の位置にあるとき延出部２０は、図５、図７〜図９に示したように前傾した第１状態にあり、主腕部４１のセンサー突片８３がセンサー台３２の延出部センサー３１で検知されている。したがって、その信号で装飾部１９が第１の位置にあることが判る。
また、装飾部１９が第１の位置にあるとき、延出部２０は巻きバネ６８によって跳ね上げ方向に付勢されているが、上記のようにロック部６９で第１の状態に止められている。このときの各部の状態が図５〜図９の断面図に示されている。
【００４１】
すなわち、図６、図７に示したように、ロック解除部７０の揺動アーム７８がスプリング７８ｃの付勢で跳ね上がった位置にあり、停止している駆動カム６７の窪み部６７ｃに揺動アーム７８の揺動ローラ７８ｂが位置している。この状態でロック／解除切替部７３のローラーアーム７７のローラー８０は揺動アーム７８から離間しており、したがってロック／解除切替部７３は、図９に示したようにバネ掛け部７５がスプリング７６に引っ張られて同図において反時計回りに回りきった状態で停止している。このロック／解除切替部７３の一端にはロック片７４が一体に突設されており、必然的にロック片７４も図９に示したようにスプリング７６の張力で反時計回りに回りきった状態で停止している。このロック片７４が図８、図９に示したように第１状態にある延出部２０の係合部７１に接触するため、延出部２０の第２状態への変化が止められる。
また、前記のように駆動カム６７が停止している状態で、図７のように延出部２０の副腕部４２の副腕ローラ８２が駆動カム６７の円弧面６７ａに当接しているため、これによっても延出部２０の第２状態への変化が止められている。
【００４２】
次に、遊技の進行により例えば大当り状態に突入し、その大当りの演出として装飾部１９を図２、図４のように台座部１７から浮き上がらせる場合について説明する。
【００４３】
まず、図７の位置で停止している駆動カム６７を時計回りに回転させて、図１２想像線のように第２状態にある副腕部４２の副腕ローラ８２に窪み部６７ｃがほぼ対応する位置で止める。この駆動カム６７の回転により、図１２、図１３のように揺動アーム７８の揺動ローラ７８ｂが、駆動カム６７の窪み部６７ｃからアール面取り部６７ｂを通って円弧面６７ａへと移動する。これにより揺動アーム７８の前方が押し下げられて図１２のように下傾する。揺動アーム７８の前方が下がると、図１２、図１３に示したようにロック／解除切替部７３のローラーアーム７７が前方に押し出されて該ロック／解除切替部７３がスプリング７６の付勢に抗して同図において時計回りに回転する。これによりロック／解除切替部７３の一端にあるロック片７４も同図において時計回りに回転して延出部２０の係合部７１から離間する。したがってロック片７４による延出部２０のロックが解除される。なお、延出部２０の係合部７１の端面の形状は、延出部２０が第１状態にロックされている状態においてロック片７４の回転中心である第２軸７２を中心とする円弧状に形成されており、これによりロック片７４が係合部７１に接触している状態でも殆ど抵抗を受けずに円滑に回転（離間）し得るようになっている。
【００４４】
以上のようにして延出部２０のロック片７４によるロックは解除されるが、実施形態では前記のように駆動カム６７の円弧面６７ａで副腕ローラ８２が押されて延出部２０の第２状態への変化が止められているため、さらに駆動カム６７が回転して円弧面６７ａから副腕ローラ８２が外れたとき、延出部２０が第２状態に跳ね上がって装飾部１９が第２の位置に変化する。
【００４５】
装飾部１９が第１の位置から第２の位置に変化すると台座部１７から離間してその間に浮遊空間９３ができ、しかもその浮遊空間９３が遊技者から認識可能になっているため、あたかも装飾部１９が台座部１７から浮き上がっているかのように見える。特に実施形態は、装飾部１９が第１の位置にあるときと、装飾部１９が第１の位置から第２の位置に変化する過程と、装飾部１９が第２の位置にあるときの何れにおいても、延出部２０が遊技者に認識困難となるように構成されている。具体的に、装飾部１９が第１の位置にあるときには、遊技領域４ａのほぼ中央を見ていた遊技者が遊技機１の前方斜め下に向けて装飾部１９を見下ろした際に（遊技者の視線）、延出部２０が装飾部１９そのものによって隠蔽される。また、装飾部１９が第２の位置に変化している途中段階、および、装飾部１９が第２の位置に変化した状態でも、図２２に示したように、遊技領域４ａのほぼ中央を見ていた遊技者が遊技機１の前方斜め下に向けて装飾部１９を見下ろした際に（遊技者の視線）、延出部２０が装飾部１９そのものによって隠蔽される（延出部２０の設置台部１６から露出する部分が同図において範囲ｘで示したように遊技者の視線で装飾部１９の影に隠れる）。つまり、装飾部１９が何れの位置にあるときにも、延出部２０が遊技者のほぼ死角に位置するように構成されており、装飾部１９が支えもなく浮いているかのように見え易くでき、浮遊感を与えられる。
また、視覚的には台座部１７と延出部２０を隠蔽色（例えば、黒色同士）に彩色し、一方、装飾部１９を台座部１７から目立つ色（例えば、黒色の台座部１７に対して赤色）に彩色するとさらに浮遊感、立体感を高めることができる。加えて、装飾部１９が第２の位置に変化した状態で設置台部１６の下の振動スピーカー３４を作動させれば、延出部２０の先に支持されている装飾部１９も振動するため、より効果的に浮遊感を演出することができる。もちろん、実施形態のように装飾部１９が延出部２０の先にスプリング５２，５２，５２を介して弾性的に支持されている場合には、装飾部１９とそれ以外の部分との間に振動差が生じるため、より浮遊感が向上する。さらには、振動スピーカー３４による振動を利用して切開部２７から台座部１７に脈動的に送風したり、或は別途送風機を設けて切開部２７から台座部１７に送風して装飾部１９の浮遊感を演出するようにしてもよい。また、浮遊感を向上させる別例として、装飾部１９が第２の位置に変化した状態で延出部２０を小刻みに上下動させるように原動モーター６３を駆動させるようにしてもよい。
なお、装飾部１９が第２の位置にあるとき、上方部分は球皿７の上縁を越える高い位置にある。したがって、装飾部１９が遊技者の顔の近くに存在するため、装飾部１９の裏側の死角の範囲がより広くなる。よって、延出部２０が装飾部１９の裏側に確実に隠れるため、装飾部１９の浮遊感がより強く際立つ。特に、実施形態のように、装飾部１９が透明なカバーで覆われず外部に開放されている場合には、室内照明等の反射がなく装飾部１９がクリアに見えるため、相対的に延出部２０に注意が行きにくい。
【００４６】
次に、装飾部１９が第２の位置にあるとき、遊技者が装飾部１９を手で押さえるか又は叩くと、延出部２０が第１軸４３を中心に回動して装飾部１９が第１の位置に戻る。
このとき実施形態では、駆動カム６７が上記のように第２状態にある副腕部４２の副腕ローラ８２に窪み部６７ｃがほぼ対応する図１２想像線の位置で停止しているため、駆動カム６７の円弧面６７ａが揺動アーム７８から外れた状態で停止している。したがって、揺動アーム７８がスプリング７８ｃの付勢で跳ね上がってロック解除部７０のローラーアーム７７が自由になり、ロック／解除切替部７３のロック片７４が図９のように反時計回りに回りきった状態になって主腕部４１の係合部７１に係合し得る位置に待機しているため、前記のように装飾部１９と延出部２０が第１状態に戻ると、係合部７１がロック片７４を図１２において時計回りに押し回して自動的に係合する。したがって延出部２０がロック片７４でロックされるから、装飾部１９が第１の位置に戻ってその位置に止まり、再び駆動カム６７を回転させるまで第２の位置に変化しない。
【００４７】
なお、装飾部１９が第２の位置にあるとき、繰り返し何度でも押し下げられるように設定する場合は、図１２のように駆動カム６７の円弧面６７ａで揺動アーム７８を押さえている位置で駆動カム６７を停止させればよい。この状態では、揺動アーム７８が前方を下げたままになり、ロック片７４が主腕部４１の係合部７１から離間した位置に停止するため、装飾部１９が押し下げられて第１の位置に戻っても手を離せば何度でも第２の位置に戻る。
【００４８】
上記の説明で明らかなように、駆動カム６７の停止位置を適宜設定することにより、装飾部１９の複数回の押し下げを可能にするか、１回の押し下げでロックされるようにするかを遊技内容に応じて使い分けることができる。
【００４９】
次に、装飾部１９が浮いたままの状態（第２の位置）で大当りが終了した場合は、駆動カム６７を図１２想像線の状態から時計回りに回転させる。そうすると、副腕ローラ８２に駆動カム６７のアール面取り部６７ｂがあたって後方斜め下向きに向けて押されるため、延出部２０が第１状態に引き下げられる。このとき揺動アーム７８は、前記のように駆動カム６７の円弧面６７ａから外れて跳ね上がり、ロック片７４が主腕部４１の係合部７１に係合し得る位置に待機しているため、延出部２０が第１状態に戻ると係合部７１がロック片７４を押し回して自動的に係合する。
【００５０】
なお、好ましくは、装飾部１９が第２の位置にあるとき、台座部１７又は装飾部１９の下半部３７（台座部１７に収まる部分）に異物がないことを検知する異物検知手段を設け、その異物検知手段により異物が検知された場合に、例えば（ａ）遊技機１を停止する、（ｂ）異物の存在を表示装置や警報音で告知して注意を促す、（ｃ）装飾部１９を第２の位置でロックする、等の中から少なくとも一つを実行する異物回避手段を講じるとよい。
具体的には、装飾部１９の下半部３７の少なくとも台座部１７に収まる部分に異物検知手段たるタッチセンサーを設けて指が装飾部１９の下半部３７に掛かっていないことを検知し、或は、図２に想像線で示したように台座部１７の円孔２４の周囲であって少なくとも手が触れ得る部分に異物検知手段たるタッチセンサー９４を設けて円孔２４に手が接近又は侵入していないことを検知し、そこでもし手が検知された場合は制御装置のプログラムに従って上記（ａ）〜（ｃ）の少なくとも一つの異物回避手段を実行する。
また、異物が飲料などの液体や遊技球である場合は、図２３に示したように設置台部１６の底に排出孔９５を形成して台座部１７の切開部２７から排出孔９５に抜ける異物排出経路を設けておくとよい。そうすることにより装飾部１９が液体に浸かることを防止でき、また、台座部１７に落下した遊技球の回収が容易になる。
【００５１】
以上本発明を実施の形態について説明したが、もちろん本発明は上記実施形態に限定されるものではない。例えば実施形態では装飾部１９を延出部２０で上下動させて位置を変化させるようにしたが、装飾部１９を延出部２０で固定的に保持する一方、設置台部１６を上下動させて相対的に装飾部１９を第１の位置から第２の位置へ変化させ、また、第２の位置から第１の位置に変化させるようにしてもよい。さらには装飾部１９と設置台部１６の双方を上下動させるようにしてもよい。
【００５２】
また、図２４に示したように設置台部１６を本体部１６ａと前方の顎部１６ｂとに分割形成して両者を分離可能に連結し、顎部１６ｂに過大な衝撃が加わった場合に本体部１６ａから外れるようにしてもよい。そうすることにより、仮に苛立った遊技者が、顎部１６ｂを乱暴に叩いたとしても、外れるのみで破壊には至りにくい。
【００５３】
また、実施形態では延出部２０をＬ字状に形成して遊技者から見えにくい装飾部１９の下側に連結し、そうして延出部２０が装飾部１９の死角に入って隠れやすいようになっているが、図２５（ａ），（ｂ）に示したように、延出部２０を略直線状に形成して装飾部１９の後側に連結するようにしてもよい。この場合も、浮遊感、立体感を高めるために、上述の実施例と同様に、延出部２０と設置台部１６および台座部１７とを同系からなる隠蔽色（例えば、黒色同士）に彩色し、一方、装飾部１９を設置台部１６および台座部１７から目立つ色（例えば、黒色の設置台部１６および台座部１７に対して赤色）に彩色することが好ましい。
また、実施形態では、装飾部１９及び延出部２０の第２状態から第１状態への変化に適度な抵抗を付与するために補助装置８９を設けたが、かかる補助装置８９の設置はあくまでも任意である。
また、実施形態の装飾部１９にＬＥＤなどの発光装置を内蔵して上半部３６及び／又は下半部３７を発光（例えば装飾的に点滅させ、或はタイマー的に点滅させる。）させるようにしてもよい。
【００５４】
また、装飾部１９の形状は、球状に限られるものではなく、多面体（例えば６面体（立方体）や８面体）や所定のキャラクタを模した立体形状であってもよい。装飾部１９の形状をこれら他の形状にする場合も、浮遊感、立体感を高めるために、遊技機１の前方斜め下に向けて装飾部１９を見下ろした際に（遊技者の視線）、延出部２０が装飾部１９そのものによって隠蔽される大きさを有するものが好ましい。
なお、装飾部１９を、例えばキャラクタを模した立体形状のような純粋な装飾を目的とするものにした場合、悪戯防止のために透明なカバーで覆うことが考えられるが、触れられて困る部分にはタッチセンサーを設け、このタッチセンサーで接触を検知すると遊技を中断する接触回避手段を設けると共にその旨を掲示して注意を促す、というようにしておけば、あえて透明なカバーで覆わなくともよい。何故なら、一般に装飾部１９が稼働しているときは、遊技者にとって有利な状況であることが多いため、遊技者自身が遊技の中断につながるような悪戯行為を行う確率は低く、また、本発明では装飾部１９が遊技者の顔の近くにあって実質的に遊技者の上半身でブロックされているため、遊技者以外の者が触れる機会は殆どないからである。
【００５５】
また、実施形態では、遊技球を球皿７に投入して遊技を行うパチンコ機を例示したが、遊技球を機内で循環させるいわゆる封入式のパチンコ機や、雀球式の弾球遊技機、或はコインを遊技媒体として遊技を行う回胴式遊技機などでも同様に適用できる。
【符号の説明】
【００５６】
１  …遊技機
１６  …設置台部
１７  …台座部
１９  …装飾部
２０  …延出部
２１  …駆動手段
【図１】
2016055021.tif 000003
【図２】
2016055021.tif 000004
【図３】
2016055021.tif 000005
【図４】
2016055021.tif 000006
【図５】
2016055021.tif 000007
【図６】
2016055021.tif 000008
【図７】
2016055021.tif 000009
【図８】
2016055021.tif 000010
【図９】
2016055021.tif 000011
【図１０】
2016055021.tif 000012
【図１１】
2016055021.tif 000013
【図１２】
2016055021.tif 000014
【図１３】
2016055021.tif 000015
【図１４】
2016055021.tif 000016
【図１５】
2016055021.tif 000017
【図１６】
2016055021.tif 000018
【図１７】
2016055021.tif 000019
【図１８】
2016055021.tif 000020
【図１９】
2016055021.tif 000021
【図２０】
2016055021.tif 000022
【図２１】
2016055021.tif 000023
【図２２】
2016055021.tif 000024
【図２３】
2016055021.tif 000025
【図２４】
2016055021.tif 000026
【図２５】
2016055021.tif 000027